(57)【要約】【課題】容易且つ安価に製造できる回折格子の回折効率を高め、良好な光ピックアップ動作を可能とした光ピックアップ装置を実現する。【解決手段】光源１からの光束を対物レンズ３により集光して光ディスク４の記録面に照射し、記録面４により反射された戻り光を、回折格子５を用いて受光手段６に導いて各種信号を検出することにより、少なくとも情報の再生を行う光ピックアップ装置において、  回折格子５の格子断面形状が、底角が何れも鋭角である三角形状であり、回折格子５が、非平行光束中に、光源から射出した光束の光軸ＡＸに対して斜めに傾けられ、格子断面形状の頂角を挟む１辺が、光軸ＡＸの方向と略平行となるように配置されたことを特徴とする。【選択図】                  図１
2005228370.tif 000002
【特許請求の範囲】
【請求項１】
光源からの光束を対物レンズにより集光して光ディスクの記録面に照射し、上記記録面により反射された戻り光を、回折格子を用いて受光手段に導いて各種信号を検出することにより、少なくとも情報の再生を行う光ピックアップ装置において、
回折格子の格子断面形状が、底角が何れも鋭角である三角形状であり、  
上記回折格子が、非平行光束中に、光源から射出した光束の光軸に対して斜めに傾けられ、上記格子断面形状の頂角を挟む１辺が、上記光軸の方向と略平行となるように配置されたことを特徴とする光ピックアップ装置。
【請求項２】
請求項１記載の光ピックアップ装置において、
回折格子が、その傾き角に略等しい頂角を持つ断面楔形状の１対のプリズムで挟持されていることを特徴とする光ピックアップ装置。
【請求項３】
請求項１または２記載の光ピックアップ装置において、
回折格子が、偏光方向に依存する回折効率を持つ偏光性回折格子であり、この偏光性回折格子よりも光ディスク側に１／４波長板を配置したことを特徴とする光ピックアップ装置。
【請求項４】
請求項１または２または３記載の光ピックアップ装置において、
回折格子が、対物レンズと一体で可動であることを特徴とする光ピックアップ装置。
【請求項５】
請求項１または２または３記載の光ピックアップ装置において、
光源と受光手段が同一パッケージ内に収納され、回折格子が上記パッケージ上に配設されていることを特徴とする光ピックアップ装置。
【請求項６】
光源からの光束を対物レンズにより集光して光ディスクの記録面に照射し、上記記録面により反射された戻り光を、回折格子を用いて受光手段に導いて各種信号を検出することにより、少なくとも情報の再生を行う光ピックアップ装置において、
回折格子の格子断面形状が、底角が何れも鋭角である三角形状であり、  
上記回折格子が、実質的な平行光束中に、光源から射出した光束の光軸に対して斜めに傾けられ、上記格子断面形状の頂角を挟む１辺が、上記光軸の方向と略平行となるように配置されたことを特徴とする光ピックアップ装置。
【請求項７】
請求項６記載の光ピックアップ装置において、
回折格子が、１対の透明な平行平板で挟持されていることを特徴とする光ピックアップ装置。
【請求項８】
請求項６または７記載の光ピックアップ装置において、
回折格子が、偏光方向に依存する回折効率を持つ偏光性回折格子であり、この偏光性回折格子よりも光ディスク側に１／４波長板を配設したことを特徴とする光ピックアップ装置。
【請求項９】
請求項６または７または８記載の光ピックアップ装置において、
回折格子が、対物レンズと一体で可動であることを特徴とする光ピックアップ装置。
【請求項１０】
光ディスクに対して、情報の記録・再生・消去のうち少なくとも再生を行う光ディスクドライブ装置であって、
請求項１〜９の任意の１に記載の光ピックアップ装置と、
この光ピックアップ装置からの出力信号を用いて、情報の記録・再生・消去のうち少なくとも再生を行う信号処理装置とを有することを特徴とする光ディスクドライブ装置。
【発明の詳細な説明】
【技術分野】
【０００１】
この発明は光ピックアップ装置および光ディスクドライブ装置に関する。
【背景技術】
【０００２】
ＣＤやＤＶＤを始めとする光ディスク（光記録媒体）に対する情報の記録・再生に対する「さらなる高速化」が求められ、このために光ディスクに対する「効率の良い光照射」が求められている。
【０００３】
特に、近年普及の著しいＤＶＤ−ＲＡＭやＤＶＤ−ＲＷ、ＤＶＤ＋ＲＷ等の「書き換え型の光ディスク」はＣＤに比べて反射率が低く、各種信号を発生させるための戻り光の強度が弱くなり勝ちであり、さらに、情報の書き換え(情報記録)を行うのに強度の大きい照射光を必要とするため、この面からも高い照射効率が望まれる。
【０００４】
戻り光を「回折格子」により回折させて受光手段に導く方式の光ピックアップ装置においては、回折格子の回折効率が信号検出効率に多大な影響を与える。信号検出効率を高めるため、回折格子として「回折効率の高いブレーズ化ホログラム」を用いる技術思想が特許文献１に記載されている。また、回折格子を「ブレーズ化偏光ホログラム」とすることにより、光ディスクへの照射効率と信号検出効率とを２つながら向上させる技術思想が特許文献２に記載されている。
【０００５】
ブレーズ化ホログラムは、格子の断面形状が「鋸歯状」である場合、上記特許文献１、２に記載のものは、いずれも、図１（ａ）に示すように断面形状が「底角：αが９０度となる直角三角形形状」になっており、回折させる光束の光軸が「底面に直交する方向（図の上下方向）」と略平行となるように配置される。
【０００６】
問題は、図１（ａ）に示すような「直角三角形の断面形状を持つ鋸歯状のブレーズ化ホログラム」を製造するのが技術的に必ずしも容易ではなく、低価格で量産に適した方法で実際に形成されるブレーズ化ホログラムの格子の断面形状は図１（ｂ）に示すように、底角：αが８０度程度になってしまうことである。
【０００７】
また、回折格子の格子ピッチ（鋸歯状の断面形状の繰返し周期）は「回折角を決めるパラメータ」の１つであるが、光ピックアップ装置の小型化、光源の低波長化に伴って格子ピッチは小さくなるので、このことも、図１（ａ）の如き「理想的な格子断面形状」の形成を困難にする一因となっている。
【０００８】
図１（ａ）に示す如く「直角三角形形状の格子断面を持ったブレーズ化ホログラム」は回折効率が高いが、格子断面が図１（ｂ）に示すように「底角が何れも鋭角である三角形形状」になる（底角：αが９０度から小さくなる）と回折効率が著しく低下する。
【０００９】
１例を挙げると、図１（ａ）に示す如く「直角三角形状の理想的な格子断面形状で、格子溝深さ：２．７μｍ、格子ピッチ：０．８μｍのブレーズ形状」を、屈折率：１．５の材質に形成し、屈折率：１．７の材料で埋めたブレーズ化ホログラムの「波長：４０５ｎｍの光に対する回折効率」は、最大で８０％程度を見込むことができるが、格子ピッチ：０．８μｍで、回折格子の断面形状が２等辺三角形（角：α＝角：β＝８２°）では４０％程度まで低下してしまう。
【００１０】
即ち、従来から知られた「ブレーズ化ホログラムを用いる光ピックアップ装置」で良好な回折効率を実現しようとすると、ブレーズ化ホログラムの格子断面形状を直角三角形形状にする必要があり、このような格子断面形状を安価に量産することは難しい。
【００１１】
【特許文献１】特許第２７３５０６２号公報
【特許文献２】特開２０００−２１００８号公報
【発明の開示】
【発明が解決しようとする課題】
【００１２】
この発明は、上述した事情に鑑み、容易且つ安価に製造できる回折格子の回折効率を高め、良好な光ピックアップ動作を可能とした光ピックアップ装置と、この光ピックアップ装置を用いる光ディスクドライブ装置の実現を課題とする。
【課題を解決するための手段】
【００１３】
この発明の光ピックアップ装置は、「光源からの光束を対物レンズにより集光して光ディスクの記録面に照射し、記録面により反射された戻り光を、回折格子を用いて受光手段に導いて各種信号を検出することにより、少なくとも情報の再生を行う光ピックアップ装置」である。
【００１４】
請求項１記載の光ピックアップ装置は以下のごとき特徴を有する。  
即ち、回折格子の格子断面形状が「底角が何れも鋭角である三角形状」である。  
回折格子は、非平行光束中に、光源から射出した光束の光軸に対して斜めに傾けられ、格子断面形状（「底角が何れも鋭角である三角形状」）の頂角を挟む１辺が、上記光軸の方向と略平行となるように配置される。
【００１５】
請求項１記載の光ピックアップ装置における回折格子は「その傾き角（光源から射出した光束の光軸に直交する面に対する傾きの角）に略等しい頂角を持つ断面楔形状の１対のプリズム」で挟持されることができる（請求項２）。  
請求項１または２記載の光ピックアップ装置は、回折格子を「偏光方向に依存する回折効率を持つ偏光性回折格子」とし、この偏光性回折格子よりも光ディスク側に１／４波長板を配設した構成とすることができる（請求項３）。
【００１６】
請求項１または２または３記載の光ピックアップ装置は「回折格子が、対物レンズと一体で可動」である構成とすることができる（請求項４）。  
請求項１または２または３記載の光ピックアップ装置はまた「光源と受光手段が同一パッケージ内に収納され、回折格子が上記パッケージ上に配備されている」構成とすることができる（請求項５）。
【００１７】
請求項６記載の光ピックアップ装置は「回折格子の格子断面形状が、底角が何れも鋭角である三角形状」であり、回折格子が、実質的な平行光束中に、光源から射出した光束の光軸に対して斜めに傾けられ、格子断面形状（「底角が何れも鋭角である三角形状」）の頂角を挟む１辺が、上記光軸の方向と略平行となるように配置されたことを特徴とする。
【００１８】
この請求項６記載の光ピックアップ装置の回折格子を「１対の透明な平行平板で挟持する」ことができる（請求項７）。
【００１９】
請求項６または７記載の光ピックアップ装置において、回折格子を「偏光方向に依存する回折効率を持つ偏光性回折格子」とし、この偏光性回折格子よりも光ディスク側に１／４波長板を配設した構成とすることができる（請求項８）。  
請求項６または７または８記載の光ピックアップ装置は「回折格子が、対物レンズと一体で可動」である構成とすることができる（請求項９）。
【００２０】
この発明の光ディスクドライブ装置は「光ディスクに対して、情報の記録・再生・消去のうち少なくとも再生を行う光ディスクドライブ装置」であって、上記請求項１〜９の任意の１に記載の光ピックアップ装置と、この光ピックアップ装置からの出力信号を用いて、情報の記録・再生・消去のうち少なくとも再生を行う信号処理装置とを有することを特徴とする（請求項１０）。
【００２１】
なお、請求項４や請求項８記載の光ピックアップ装置において、偏光性回折格子を用いる場合には、光源として実質的な直線偏光状態の光を放射するものを用いるのが良い。
【発明の効果】
【００２２】
この発明の光ピックアップ装置においては、「記録面により反射された戻り光を回折させて受光手段に導く回折格子」の格子断面形状が直角三角形形状でなく、「底角が何れも鋭角である三角形状」であるので、回折格子の製造が容易で安価に大量に製造することができる。そして、このような回折格子を「光源から射出した光束の光軸に対して斜め」に、且つ、格子断面形状の頂角を挟む１辺が、上記光軸の方向と略平行となるように配置することにより、後述する実施の形態におけるように、高い回折効率を実現できる。
【発明を実施するための最良の形態】
【００２３】
図２(ａ)に光ピックアップ装置の実施の１形態を模式的に示す。  
符号１で示す光源は「半導体レーザ」であり、発散性のレーザ光束を放射する。光源１から放射されたレーザ光束はビームスプリッタ２を透過し、対物レンズ３により集束され、光ディスク４の記録面上に光スポットとして集光する。
【００２４】
光ディスク４の記録面で反射された光束は「戻り光」となって対物レンズ３を透過し、集束しつつビームスプリッタ２に入射し、反射されて「光源１から光ディスク４へ向かう光路（往路）」から分離し、回折格子５に入射する。回折格子５による回折光は受光手段６に入射する。このとき、戻り光は受光手段６の「異なる受光部」に入射するように分離され、各受光部の受光信号によりフォーカスエラー信号、トラックエラー信号、情報再生信号が生成される。
【００２５】
図２（ｂ）は、回折格子５の形態を模式的に示している。回折格子５の格子断面形状は直角三角形形状ではなく、図１（ｂ）に示した例のように「底角：α、βが何れも鋭角である三角形状」である。そして、回折格子５は、図２（ｂ）に示すように、光源から射出した光束の光軸ＡＸに対して斜めに傾けられ、格子断面形状の頂角を挟む１辺が、光軸ＡＸの方向と略平行となるように配置される。
【００２６】
図２（ｂ）に「符号γで示す角」は、回折格子５の「傾き角」であり、格子断面形状の三角形状の底辺（具体的には、鋸歯状の格子を形成した基板の底面）が「光軸に直交する面」に対して傾く角である。
【００２７】
このように回折格子５を傾けることの技術的意義を図４に即して説明する。  
図４は、上に説明した回折格子の傾き角：γを１０度とし、回折格子の格子ピッチ（図１参照）を０．８μｍ、格子断面形状を「２等辺三角形形状（図１（ｂ）における底角：α＝β）」とし、格子溝深さ（μｍ）を変化させたときの回折効率を、０次光、±１次光に対してプロットしたものである。回折されるレーザ光束の波長は４０５ｎｍとし、回折格子５は「図１に即して説明したのと同様の材料」で構成されたものとしている。
【００２８】
図４に示されているように、＋１次光の回折効率は格子溝深さ：３．２μｍにおいて８１％であり、これは、図１（ａ）に即して先に説明したブレーズ化ホログラムの最大回折効率：８０％と実質的に等しい。
【００２９】
このように高い回折効率（８１％）が得られるのは、格子ピッチ：０．８μｍ、格子溝深さ：３．２μｍでは、格子断面形状の底角：α(＝β)は、
３．２ｔａｎα＝０．４
から、α＝ｔａｎ-1(０．４／３．２)≒７．１度
であり、回折格子５を傾き角：γ＝１０度傾けたとき、格子断面形状の頂角を挟む１辺が光軸ＡＸの方向となす角が２．９度となって、上記１辺が光軸ＡＸと略平行となり、図１（ａ）に示した理想的なブレーズ化格子と同様の作用をするためと考えられる。
【００３０】
底角：α、βが何れも鋭角であるような三角形の格子断面形状を持つ回折格子は、図１（ａ）に示したような、底角：α＝９０度であるような回折格子よりも製造が容易で、安価に且つ大量に製造することができる。
【００３１】
図２に示す実施の形態では、回折格子５が設けられている部分では「戻り光が収束光束である」ので、回折格子５を光束光軸に対して傾けると「回折されて受光手段に向かう光束」に非点収差が発生する。このような非点収差の発生を回避するには、図３に示す例のように、回折格子５を１対のプリズム７ａ、７ｂで挟持し、プリズム７ａと回折格子５とプリズム７ｂとにより「平行平板状の光学素子(符号９で示す。)」が構成されるようにすればよい（請求項２）。
【００３２】
プリズム７ａ、７ｂは回折格子５と「実質的に同じ屈折率」を持つ材料で構成し、断面形状を楔形状とし、その頂角(楔形状の尖端部の角)が、回折格子５の傾き角(図２の角：γ)に略等しくなるようにする。このような光学素子９を入射光束の光軸に直交させて配置すれば、回折格子５自体は上記光束の光軸に対して傾くが、光学素子９としては傾かないので、非点収差の発生を有効に回避することができる。
【００３３】
また、回折格子５をプリズム７ａ、７ｂで挟持すると、回折格子５が外部環境（温・湿度）の変化や外部からの機械力に対して保護されるので、耐環境性や物理的強度が向上し、光ピックアップ装置の信頼性向上につながる。なお、プリズム７ａ、７ｂで挟持される以前に、回折格子作製上の都合等により「回折格子５が別の透明基板で挟持され」ていても良い。
【００３４】
図５は、請求項３記載の光ピックアップ装置の実施の１形態を説明するための図である。煩雑を避けるため、混同の恐れがないと思われるものについては図２、図３におけると同一の符号を付した。
【００３５】
この実施の形態においては、回折格子５Ａが「偏光方向に依存する回折効率を持つ偏光性回折格子」であり、この偏光性回折格子５Ａよりも光ディスク４側に１／４波長板１０が配設されている。偏光性回折格子５Ａは、耐環境性と物理的強度を高め、非点収差の発生を回避するために、「楔状の断面形状」を持った１対のプリズム７ａ、７ｂで挟持され、これら偏光性回折格子５Ａとプリズム７ａ、７ｂとにより光学素子９を構成している。
【００３６】
偏光製回折格子５Ａは、先に説明した回折格子５の格子部分を「常光線もしくは異常光線に対する屈折率が回折格子５の材質の屈折率と略等しい複屈折性の樹脂」で埋めて硬化させることにより得ることができる。
【００３７】
半導体レーザである光源１から放射されたレーザ光束は実質的な直線偏光状態であり、光学素子９を、偏光製回折格子５Ａによる回折作用を殆ど受けずに透過し、１／４波長板１０を透過して円偏光状態となり、対物レンズ３により集光光束とされて光ディスク４の記録面上に光スポットとして集光する。
【００３８】
記録面で反射された戻り光は、旋回方向が往路とは逆の円偏光となって往路とは逆向きの復路を辿り、対物レンズ３により集束されつつ１／４波長板１０を透過すると「偏光面の向きが当初（往路）の向きから９０度旋回した直線偏光」に戻り、光学素子９を透過する際、偏光回折格子５Ａにより回折されて往路から分離し、受光手段６に入射して、フォーカスエラー信号、トラックエラー信号、情報再生信号の生成に供される。
【００３９】
このように偏光性回折素子５Ａを用いると、光源１からのレーザ光束は、往路では光束を余分に回折されずに透過して光ディスク４へ向かい、復路でのみ回折されるので、回折格子を「往路・復路の共通光路」中に配置しても「格子溝深さを最適化して得られる最大の回折効率」を利用でき、高検出効率と高照明効率を両立できる。
【００４０】
図６は、図５に示した実施の形態の変形例で、請求項４記載の光ピックアップ装置の実施の１形態を示している。混同の恐れがないと思われるものについては、図５におけると同一の符号を付した。
【００４１】
この実施の形態においては、光学素子９（偏光光学素子５Ａをプリズム７ａ、７ｂで挟持したもの）は１／４波長板１０、対物レンズ３と共に保持手段１１により保持されて対物レンズ３と一体化され、対物レンズ３と共に変位するようになっている。即ち、回折格子である偏光回折格子５Ａは「対物レンズと一体で可動」である。
【００４２】
このようにすると、トラッキングサーボ・フォーカシングサーボにより対物レンズ３が変位するとき、光学素子９や１／４波長板１０も対物レンズ３と一体となって変位するので、「対物レンズシフトによる光軸ずれの影響を受けない信頼性の高い信号」を得ることができる。なお、図６に示すように、１／４波長板１０と光学素子９とは「互いに別体」としても良いが、光学素子９のプリズム上に１／４波長板１０を「光学薄膜」として形成する構成としても良い。
【００４３】
光ピックアップ装置の実施の別形態として、図７に示すように、光源１と受光手段６とを同一のパッケージ１２内に設け、偏光性回折素子５Ａを用いる光学素子９をパッケージ１２の上に配設して、これらを「１ユニットとして構成」することができ（請求項５）、このようにすると、光源１、受光手段６、パッケージ１２、光学素子９を予めユニットとして別に作成し、このユニットを光ピックアップ装置に組付けることができるので、光ピックアップ装置の組付け時間を短縮でき、調整も簡単になり、光ピックアップ装置の小型化も実現できる。
【００４４】
図８は、光ピックアップ装置の実施の他の形態を模式的に示している。混同の恐れがないと思われるものについては、図５におけると同一の符号を付した。
【００４５】
この実施の形態は、図５に示す実施の形態の変形例であり、光源１からの光束を光ディスク４の記録面上に光スポットとして結像させる結像光学系を、対物レンズ３Ａとカップリングレンズ１３とで構成した点において、図５の実施の形態と異なる。  
半導体レーザである光源１から射出された直線偏光状態のレーザ光束は、偏光性回折素子５Ａを用いる光学素子９を「殆ど回折すること無く透過」し、カップリングレンズ１３に入射して以降の光学系にカップリングされる。この例において、カップリングされたレーザ光束は平行光束となる。
【００４６】
カップリングレンズ１３を透過した光束は、１／４波長板１０を透過して円偏光となり、対物レンズ３Ａにより集光光束となって、光ディスク４の記録面上に光スポットとして集光する。記録面で反射された戻り光は旋回方向が往路とは逆転した円偏光となり、対物レンズ３Ａ、１／４波長板１０を透過して、偏光面の向きが当初の向きから９０度旋回した直線偏光となり、カップリングレンズ１３を透過して集光光束となって光学素子９に入射し、偏光性回折素子５Ａにより回折されて受光手段６に入射し、フォーカスエラー信号、トラックエラー信号、情報再生信号の生成に供される。
【００４７】
このような所謂「無限系の光学系」の構成において、光源１とカップリングレンズ１３の間の「集束状態の光路中」に偏光性回折素子５Ａを配置しても、図５の実施の形態と同様、高光利用効率の光ピックアップ装置を実現できる。
【００４８】
図８の実施の形態を図９のように変形し、図７の実施の形態と同様、光源１と受光手段６を同一パッケージ１２内に設け、偏光性回折素子５Ａを用いる光学素子９をパッケージ１２上に設けて１つのユニットとして構成することもできる。
【００４９】
図１０は、請求項６記載の光ピックアップ装置の実施の形態を概念的に示す図である。混同の恐れがないと思われるものについては、図８におけると同一の符号を用いる。  
図１０の実施の形態においては光学素子１４が用いられている。光学素子１４は、先に説明した偏光性回折素子５Ａを、透明な平行平板７ｃ、７ｄ（偏向性回折格子５Ａにおける回折格子本体部の材料と略同じ屈折率を有する。）により一体的に挟持してなる。
【００５０】
光源１からのレーザ光束はカップリングレンズ１３により平行光束化され、光学素子１４を「偏光性回折格子５Ａの回折作用」を殆ど受けることなく透過し、１／４波長板１０、対物レンズ３Ａを介して光ディスク４の記録面に光スポットとして集光する。記録面で反射された戻り光は、対物レンズ３Ａ、１／４波長板１０を透過し、偏向面の方向が当初の方向から９０度旋回した直線偏光状態となって光学素子１４に入射し、偏光性回折格子５Ａの回折作用により回折され、カップリングレンズ１３を介して受光部６に入射し、フォーカスエラー信号、トラックエラー信号、情報再生信号の生成に供される。
【００５１】
図１０に示すように、光学素子１４は光源１からの光束の光軸に対して傾いて設けられている。光学素子１４が配置されている部分では、光学素子１４に入射する光束は実質的に平行光束であるので、光学素子１４が光束光軸に対して斜めに配置されても非点収差は発生せず、光ディスクの記録面上に「回折限界近くまで絞り込まれた良好な光スポット」を形成できる。従って、光学素子１４では偏光性回折素子５Ａを挟持するのに、透明な平行平板７ｃ、７ｄを用いることができ、光学素子９のようにプリズム７ａ、７ｂを用いる必要はない。
【００５２】
光学素子１４を用いる代わりに偏光性回折格子５Ａのみを用い、これを入射光束の光軸に対して斜めに傾けて配置しても良いが、透明な平行平板７ｃ、７ｄで偏光性回折格子５Ａを挟持することにより、偏光性回折格子５Ａの耐環境性や物理的強度が向上し、光ピックアップ装置の信頼性向上につながる。また、透明な平行平板７ｃ、７ｄによる偏光性回折格子５Ａの挟持は、プリズム７ａ、７ｂによる挟持よりも低コストで実現できる。
【００５３】
光学素子１４の傾き角：γは勿論、格子断面形状の頂角を挟む１辺が、光源から射出した光束の光軸の方向と略平行となるように設定される（このとき、戻り光に対する高い回折効率が実現される。）。
【００５４】
図１１は、図１０に示す実施の形態の変形例であり、光束光軸に対して斜めに傾けて配置される光学素子１４と１／４波長板１０と対物レンズ３Ａとを、保持手段１１Ａにより一体的に保持するようにした点を特徴とする。
【００５５】
即ち、図１０、図１１に実施の形態を示す光ピックアップ装置は、光源１からの光束を対物レンズ３Ａにより集光して光ディスク４の記録面に照射し、記録面により反射された戻り光を、回折格子５Ａを用いて受光手段６に導いて各種信号を検出することにより、少なくとも情報の再生を行う光ピックアップ装置において、回折格子５Ａの格子断面形状が、底角が何れも鋭角である三角形状であり、回折格子５Ａが、実質的な平行光束中に、光源１から射出した光束の光軸に対して斜めに傾けられ、格子断面形状の頂角を挟む１辺が、上記光軸の方向と略平行となるように配置されたものである(請求項６)。
【００５６】
また、回折格子５Ａは１対の透明な平行平板７ｃ、７ｄで挟持され(請求項７)、回折格子５Ａが「偏光方向に依存する回折効率を持つ偏光性回折格子」であり、この偏光性回折格子よりも光ディスク側に１／４波長板１０が配設されている（請求項８）。
【００５７】
図１１に実施の形態を示す光ピックアップ装置では、回折格子５Ａ（偏光性回折格子）が、対物レンズ３Ａと一体で可動である(請求項９)。
【００５８】
図１２は、光ディスクドライブ装置の実施の１形態を示す図である。  
この光ディスクドライブ装置は、光ディスクに対して、情報の記録・再生・消去のうち、少なくとも再生を行う装置であって、光ディスク（例えば、ＣＤや、４ＤＶＤ−ＲＡＭやＤＶＤ−ＲＷ、ＤＶＤ＋ＲＷ等の「書き換え型の光ディスク」）をセットされる保持部６１と、保持部６１にセットされた光ディスク４を回転駆動する「駆動手段」としてのモータＭと、セットされた光ディスク４に対し、少なくとも情報の再生を行う光ピックアップ装置６２と、この光ピックアップ装置６２を光ディスク４の半径方向へ変位駆動する変位駆動手段６３とを有する。
【００５９】
光ピックアップ装置６２として、上に実施の形態を説明した請求項１〜９の任意の１に記載のものを用いたものは、請求項１０記載の光ディスクドライブ装置の実施の１形態である。なお、図１２における制御手段６４はマイクロコンピュータ等により構成され、光ディスクドライブ装置の各部を制御するが、光ピックアップ装置６２からの出力信号を用いて「情報の記録・再生・消去のうち少なくとも再生を行う信号処理装置」を兼ねる。
【００６０】
なお、各図において、回折格子の断面形状は説明図として示されているものであるから、格子溝の深さ・格子ピッチ・底角・頂角等の相互の関係は、実際の関係を必ずしも正確に表しているものでないことを付記しておく。
【図面の簡単な説明】
【００６１】
【図１】発明の解決課題を説明するための図である。
【図２】光ピックアップ装置の実施の１形態を説明するための図である。
【図３】請求項２記載の光ピックアップ装置の特徴部分を説明する図である。
【図４】回折格子を傾けることの技術的意義を説明するための図である。
【図５】光ピックアップ装置の、実施の別の形態を説明するための図である。
【図６】光ピックアップ装置の、実施の他の形態を説明するための図である。
【図７】光ピックアップ装置の、実施の他の形態を説明するための図である。
【図８】光ピックアップ装置の、実施の他の形態を説明するための図である。
【図９】光ピックアップ装置の、実施の他の形態を説明するための図である。
【図１０】光ピックアップ装置の、実施の他の形態を説明するための図である。
【図１１】光ピックアップ装置の、実施の他の形態を説明するための図である。
【図１２】光ディスクドライブ装置の実施の１形態を説明するための図である。
【符号の説明】
【００６２】
１      光源(半導体レーザ)
２      ビームスプリッタ
３      対物レンズ
４      光ディスク
５      回折格子
６      偏向手段
【図１】
2005228370.tif 000003
【図２】
2005228370.tif 000004
【図３】
2005228370.tif 000005
【図４】
2005228370.tif 000006
【図５】
2005228370.tif 000007
【図６】
2005228370.tif 000008
【図７】
2005228370.tif 000009
【図８】
2005228370.tif 000010
【図９】
2005228370.tif 000011
【図１０】
2005228370.tif 000012
【図１１】
2005228370.tif 000013
【図１２】
2005228370.tif 000014